(57)【特許請求の範囲】
【請求項１】
各住宅用外壁パネル（ＯＷＰ）の対向端面間に画成される縦目地（ＶＪ）と横目地（ＨＪ）との十字状交差部（ＣＪ）における縦目地下端部（ＬＶＪ）を密封するための縦目地下端部シール材（１０）であって、前記縦目地下端部シール材（１０）が、前記縦目地下端部（ＬＶＪ）の端面を遮蔽する底部（１２）と前記縦目地下端部（ＬＶＪ）の背面を遮蔽する壁部（１５）とを略Ｌ字状に一体化して成る遮蔽部（１１）と、前記底部（１２）の下面に沿って延伸する基底部（１８）と該基底部（１８）から前記壁部（１５）の背面に沿って延伸する板ばね部（２１）とを略Ｌ字状に一体化して成るスペーサ部（１７）とを具備して成ることを特徴とする縦目地下端部シール材。
【請求項２】
前記スペーサ部（１７）における前記板ばね部（２１）が、前記基底部（１８）から前記壁部（１５）の背面に沿って一対配設して成ることを特徴とする請求項１に記載の縦目地下端部シール材。
【請求項３】
前記底部（１２）の突出底部（１２ｂ）表面に貼りつけられて、コーキング（Ｃ）と外壁パネル下端部（３１）間をシール可能な水平コーキングスポンジ部（ＨＣＳ）と、前記壁部（１５）の表面に貼りつけられて、支柱（ＳＣ）とチャンネル材（ＣＨ）間をシール可能な垂直コーキングスポンジ部（ＶＣＳ）と、垂直コーキングスポンジ部（ＶＣＳ）と水平コーキングスポンジ部（ＨＣＳ）の表面に貼りつけられて、支柱（ＳＣ）と外壁パネル裏面（３２）間をシール可能なシール壁部（１６）からなることを特徴とする請求項１又は２に記載の縦目地下端部シール材。
【発明の詳細な説明】
【０００１】
【発明の属する技術分野】
本発明は各住宅用外壁パネルの対向端面間に画成される縦目地と横目地の十字状交差部を密封するための目地シール材に関するものであり、特に、縦目地下端部を密封するための縦目地下端部シール材に関するものである。
【０００２】
【従来の技術】
各住宅用外壁パネルを組み立てる場合、図５〜図７に示したように、各住宅用外壁パネルＯＷＰの対向端面間に画成される縦目地ＶＪは、上下の住宅用外壁パネルＯＷＰに沿って連通、所謂芋目地状に形成されるケースがあるが、図５に示したように、前記芋目地における前記縦目地ＶＪが前記横目地ＨＪとの十字状交差部ＣＪにおいて該横目地ＨＪによって一旦寸断された後、再度縦目地ＶＪを形成するケースもある。なお、図５には前記横目地ＨＪによって一旦寸断された前記縦目地ＶＪの下端部ＬＶＪが丸印で囲んで示され、図６は、前記縦目地下端部ＬＶＪの近傍における従来の目地シール材全体の構成を図５のＡ−Ａ線に沿って切断して示した縦断面図であり、図７は、図５のＢ−Ｂ線に沿って切断して示した横断面図である。
【０００３】
前記縦目地ＶＪに装着される前記縦目地シール材は、例えば、エチレン−プロピレンソリッドゴム材、クロロプレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材を通常錨状の横断面形状を有するように成形した細長のガスケット材ＧＫから成り、前記縦目地ＶＪを画成する前記各住宅用外壁パネルＯＷＰの背面で下地板材ＢＢと共に前記縦目地ＶＪの両側に沿って配設される各チャンネル材ＣＨの内部にその脚部を嵌着した前記ガスケット材ＧＫは、前記縦目地ＶＪの大部分の空隙を密封していた。
【０００４】
一方、前記縦目地ＶＪを一旦寸断する前記横目地ＨＪが、前記各住宅用外壁パネルＯＷＰの対向端面間に不定形なコーキング材Ｃを充填することによって、住宅室内への浸水を阻止する場合、前述したような錨状の横断面形状を有する細長のガスケット材ＧＫによって形成される前記縦目地下端部ＬＶＪも前記不定形なコーキング材Ｃが該ガスケット材ＧＫの空隙部に充填されて、前記縦目地ＶＪからの潜り水を遮断していた。
【０００５】
【発明が解決しようとする課題】
しかしながら、前述した従来の目地シール材、特に前記十字状交差部ＣＪに前記コーキング材Ｃを充填する場合、ＣＪ部ではバッカーＢＣの貼り付け面が支柱ＳＣであるため、大きなスキがあり、コーキング材のみでそのスキをふさぐ事が困難であった。その結果、前記十字状交差部ＣＪ及び前記縦目地下端部ＬＶＪの近傍の止水性を良好に確保することが困難であった。
【０００６】
本発明は前述した従来技術の問題点を解消し、住宅用外壁パネルの建て込み作業性及び十字状交差部及び縦目地下端部の近傍の止水性の向上図ることが可能な目地シール材を提供することを目的とするものである。
【０００７】
【課題を解決するための手段】
本発明のかかる目的は、各住宅用外壁パネル（ＯＷＰ）の対向端面間に画成される縦目地（ＶＪ）と横目地（ＨＪ）との十字状交差部（ＣＪ）における縦目地下端部（ＬＶＪ）を密封するための縦目地下端部シール材（１０）であって、前記縦目地下端部シール材（１０）が、前記縦目地下端部（ＬＶＪ）の端面を遮蔽する底部（１２）と前記縦目地下端部（ＬＶＪ）の背面を遮蔽する壁部（１５）とを略Ｌ字状に一体化して成る遮蔽部（１１）と、前記底部（１２）の下面に沿って延伸する基底部（１８）と該基底部（１８）から前記壁部（１５）の背面に沿って延伸する板ばね部（２１）とを略Ｌ字状に一体化して成るスペーサ部（１７）とを具備して成ることを特徴とする縦目地下端部シール材によって達成される。
【０００９】
更に、本発明のかかる目的は、前記スペーサ部（１７）における前記板ばね部（２１）が、前記基底部（１８）から前記壁部（１５）の背面に沿って一対配設して成ることを特徴とする縦目地下端部シール材によって達成される。
【００１０】
更に、本発明のかかる目的は、前記底部（１２）の突出底部（１２ｂ）表面に貼りつけられて、コーキング（Ｃ）と外壁パネル下端部（３１）間をシール可能な水平コーキングスポンジ部（ＨＣＳ）と、前記壁部（１５）の表面に貼りつけられて、支柱（ＳＣ）とチャンネル材（ＣＨ）間をシール可能な垂直コーキングスポンジ（ＶＣＳ）と、垂直コーキングスポンジ（ＶＣＳ）と水平コーキングスポンジ部（ＨＣＳ）の表面に貼りつけられて、支柱（ＳＣ）と外壁パネル裏面（３２）間をシール可能なシール壁部（１６）からなることを特徴とする縦目地下端部シール材によって達成される。
【００１１】
【作用】
本発明の縦目地下端部シール材は、前記各住宅用外壁パネルの対向端面間に画成される前記縦目地と前記横目地との前記十字状交差部における前記縦目地下端部を密封するための前記縦目地下端部シール材であって、前記縦目地下端部シール材が、前記縦目地下端部の端面を遮蔽する前記底部と前記縦目地下端部の背面を遮蔽する前記壁部とを略Ｌ字状に一体化して成る前記遮蔽部と；前記底部の下面に沿って延伸する前記基底部と該基底部から前記壁部の背面に沿って延伸する前記板ばね部とを略Ｌ字状に一体化して成る前記スペーサ部とを具備して成るので、前記不定形なコーキング材に依存することなく、前記遮蔽部によって前記縦目地下端部の端面と背面が容易に且つ確実に密封され、更に前記スペーサ部によって前記縦目地下端部の端面に対する前記遮蔽部と圧接度が増す。
【００１２】
更に、本発明の縦目地下端部シール材は、前記底部の前記突出底部表面に貼りつけられて、前記コーキングと前記外壁パネル下端部間をシール可能な前記水平コーキングスポンジ部と、前記壁部の表面に貼りつけられて、前記支柱と前記チャンネル材間をシール可能な前記垂直コーキングスポンジ部と、前記垂直コーキングスポンジ部と前記水平コーキングスポンジ部の表面に貼りつけられて、前記支柱と前記外壁パネル裏面間をシール可能な前記シール壁部からなるので、外壁パネル下端部とコーキング間、支柱とチャンネル材間、支柱と外壁パネル裏面間のシール性がさらに向上する。
【００１３】
更に、本発明の縦目地下端部シール材は、前記スペーサ部における前記板ばね部が、前記基底部から前記壁部の背面に沿って一対配設して成るので、前記縦目地下端部の背面に対する前記壁部の圧接度が一層増す。
ここで、外壁パネル裏面に取り付けられたチャンネル材の位置は、外壁パネル施工時の組付バラツキと組付後の外壁パネル移動を考慮して、チャンネル材とシール壁部はスキ設定にするのが好ましい。
【００１４】
【発明の実施の形態】
本発明の縦目地下端部シール材の一実施態様について添付した図面に基づき以下に詳述する。図１は、本発明の縦目地下端部シール材１０及びその近傍を拡大して示した正面図、図２は図１のＡ−Ａ線に沿って切断して示した本発明の縦目地下端部シール材１０及びその近傍の縦断面図、図３は図１のＢ−Ｂ線に沿って切断して示した本発明の縦目地下端部シール材１０及びその近傍の横断面図、更に図４は本発明に基づく縦目地下端部シール材１０の斜視図である。
【００１５】
図１〜図４に示した本発明に基づく縦目地シール材１０の要部構成は、前述した従来の目地シール材のそれと同様に、前記縦目地ＶＪに装着される縦目地シール材ＶＳは、例えば、エチレン−プロピレンソリッドゴム材、クロロプレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材を通常錨状の横断面形状を有するように成形した細長のガスケット材ＧＫから成る。
前記各住宅用外壁パネルＯＷＰの背面で下地板材ＢＢと共に前記縦目地ＶＪの両側に沿って配設される各チャンネル材ＣＨの内部にその脚部を嵌着した前記ガスケット材ＧＫは、前記縦目地ＶＪの大部分の空隙を密封する。
【００１６】
更に、本発明の縦目地下端部シール材１０の特徴点は、前記横目地ＨＪの長手方向ｚに沿って比較的長く拡張されて前記縦目地下端部ＬＶＪの端面を遮蔽する底部１２と、前記縦目地ＶＪの長手方向ｙに立ち上げられて前記縦目地下端部ＬＶＪの背面を遮蔽する壁部１５とを略Ｌ字状に一体化して成る遮蔽部１１と；前記底部１２の下面に沿って延伸する基底部１８と、該基底部１８から前記壁部１５の背面に沿って延伸する板ばね部２１とを略Ｌ字状に一体化して成るスペーサ部１７とを具備して成ることにある。
【００１７】
また、前記底部１２の突出底部１２ｂ表面に貼り付けられて、コーキングＣと外壁パネル下端部３１間をシール可能な水平コーキングスポンジ部ＨＣＳと、前記壁部１５の表面に貼り付けられて、支柱ＳＣとチャンネル材ＣＨ間をシール可能な垂直コーキングスポンジ部ＶＣＳと、垂直コーキングスポンジ部ＶＣＳと水平コーキングスポンジ部ＨＣＳの表面に貼り付けられて、支柱ＳＣと外壁パネル裏面３２間をシール可能なシール壁部１６を配設するのが好ましい。
また、前記遮蔽部１１における前記底部１２の一部は、前記各住宅用外壁パネルＯＷＰの背面に配設された前記下地板材ＢＢ及び前記チャンネル材ＣＨに当接する後方端縁１２ａから前記壁部１５のコの字状の内側を遮断するように前記縦目地ＶＪの深さ方向ｘに沿って延長された突出底部１２ｂを有する。更に前記底部１２の前記後方端縁１２ａは、その両端部でビス１４ａが溝１４を貫通して前記下地板材ＢＢに螺着可能な固定片１３を具備する。
【００１８】
一方、前記スペーサ部１７における前記基底部１８は、前記遮蔽部１１における前記突出底部１２ｂの下面を略全域にわたりカバーするように延伸させることが好ましい。また、前記基底部１８は、その前方端縁１８ｂから前記横目地ＨＪの長手方向ｚに沿って前方側壁部１９を立ち下げ、更に該前方側壁部１９の両端部から固定アーム部２０を水平に延伸させて、前記縦目地下端部シール材１０の組み込み時に前記固定アーム部２０の先端部近傍が前記固定片１３の前面に前記横目地ＨＪの長手方向ｚで重なって当接可能にする。
なお、前記基底部１８の後方端縁１８ａから前記壁部１５の背面に沿って立ち上げられる前記板ばね部２１は、前記壁部１５の前記各折り返し部１６近傍の背面をその屈曲した突出面で押圧可能なように一対配設することが好ましい。
【００１９】
以上のように構成される本発明の縦目地下端部シール材１０は、製造工場において、通常、前記各住宅用外壁パネルＯＷＰの背面に前記下地板材ＢＢと共に前記縦目地ＶＪの両側に沿って前記チャンネル材ＣＨが取り付けられる。
しかる後、取り付け現場に設置された支柱ＳＣに沿って前記各住宅用外壁パネルＯＷＰを所定位置に固定し、前記縦目地下端部ＬＶＪに前記遮蔽部１１と前記スペーサ部１７を挿入し、前記支柱ＳＣと前記遮蔽部１１との僅かな間隙に挿入された前記板ばね部２１が、適正に前記壁部１５の背面を押圧するように位置決めされたら、前記ビス１４ａによって前記遮蔽部１１及び前記スペーサ部１７を固定する。
【００２０】
前記遮蔽部１１及び前記スペーサ部１７が適正に固定されたら、前記縦目地ＶＪに前記ガスケット材ＧＫを嵌入し、横目地ＨＪ内に幕板ＣＢを取り付け、必要に応じて前記固定片１３、前記前方側壁部１９及び前記固定アーム部２０の各前面にポリエチレン材等から成るバッカー部材ＢＣを取付けた後、前記横目地ＨＪの間隙に不定形なコーキング材Ｃを充填する。
【００２１】
前記遮蔽部１１を前記縦目地下端部ＬＶＪに挿入することによって、前記不定形なコーキング材Ｃに依存することなく、前記縦目地下端部ＬＶＪの端面と背面が容易に且つ確実に密封され、更に前記スペーサ部１７によって前記縦目地下端部ＬＶＪの端面に対する前記遮蔽部１１の圧接度が増す。
更に、前記底部１２の前記突出底部１２ｂ表面に貼り付けられて、前記コーキングＣと前記外壁パネル下端部３１間をシール可能な前記水平コーキングスポンジ部ＨＣＳと、前記壁部１５の表面に貼り付けられて、前記支柱ＳＣと前記チャンネル材ＣＨ間をシール可能な前記垂直コーキングスポンジ部ＶＣＳと、前記垂直コーキングスポンジ部ＶＣＳと前記水平コーキングスポンジ部ＨＣＳの表面に貼り付けられて、前記支柱ＳＣと前記外壁パネル裏面３２間をシール可能な前記シール壁部１６を配設することによって、前記コーキングＣと前記外壁パネル下端部３１間、前記支柱ＳＣと前記チャンネル材ＣＨ間、前記支柱ＳＣと前記外壁パネル裏面３２間のシール性がさらに向上する。
【００２２】
コーキングスポンジとしては、比重０．１から０．２で、気泡構造が連続の柔らかいスポンジゴムであって、片面に両面テープが貼り付けてあるものが望ましい。材質としては、耐候性のあるＥＰＤＭスポンジが好ましい。
シール壁部としては、比重０．２から０．６のスポンジゴム板であって、片面に両面テープが貼り付けてあるものが望ましい。材質としては、耐候性のあるＥＰＤＭスポンジが好ましい。
【００２３】
【発明の効果】
以上、記述した本発明の縦目地下端部シール材は、次に記すような新規な効果を奏するものである。即ち、本発明の縦目地下端部シール材は、前記各住宅用外壁パネルの対向端面間に画成される前記縦目地と前記横目地との前記十字状交差部における前記縦目地下端部を密封するための前記縦目地下端部シール材であって、前記縦目地下端部シール材が、前記縦目地下端部の端面を遮蔽する前記底部と前記縦目地下端部の背面を遮蔽する前記壁部とを略Ｌ字状に一体化して成る前記遮蔽部と；前記底部の下面に沿って延伸する前記基底部と該基底部から前記壁部の背面に沿って延伸する前記板ばね部とを略Ｌ字状に一体化して成る前記スペーサ部とを具備して成るので、前記不定形なコーキング材に依存することなく、前記遮蔽部によって前記縦目地下端部の端面と背面を容易に且つ確実に密封し、更に前記スペーサ部によって前記縦目地下端部の端面に対する前記遮蔽部と圧接度を増すことが可能になった。
【００２４】
更に、前記底部の前記突出底部表面に貼り付けられて、前記コーキングと前記外壁パネル下端部間をシール可能な前記水平コーキングスポンジ部と、前記壁部の表面に貼り付けられて、前記支柱と前記チャンネル材間をシール可能な前記垂直コーキングスポンジ部と、前記垂直コーキングスポンジ部と前記水平コーキングスポンジ部の表面に貼り付けられて、前記支柱と前記外壁パネル裏面間を前記シール可能な前記シール壁部を配設することによって、前記コーキングと前記外壁パネル下端部間、前記支柱と前記チャンネル材間、前記支柱と前記外壁パネル裏面間のシール性がさらに向上することが可能になった。
【００２５】
更に、本発明の縦目地下端部シール材は、前記スペーサ部における前記板ばね部が、前記基底部から前記壁部の背面に沿って一対配設して成るので、前記縦目地下端部の背面に対する前記壁部の圧接度を一層増すことが可能になった。
【図面の簡単な説明】
【図１】本発明の縦目地下端部シール材及びその近傍を拡大して示した正面図である。
【図２】図１のＡ−Ａ線に沿って切断して示した本発明の縦目地下端部シール材及びその近傍の縦断面図である。
【図３】図１のＢ−Ｂ線に沿って切断して示した本発明の縦目地下端部シール材びその近傍の横断面図である。
【図４】本発明に基づく縦目地下端部シール材の斜視図である。
【図５】縦目地と横目地Ｈとの十字状交差部を有する住宅用外壁パネルの正面図である。
【図６】図５のＡ−Ａ線に沿って切断して示した従来の縦目地下端部シール材及びその近傍の縦断面図である。
【図７】図５のＢ−Ｂ線に沿って切断して示した従来の縦目地下端部シール材びその近傍の横断面図である。
【符号の説明】
ＯＷＰ    住宅用外壁パネル
ＶＪ      縦目地
ＨＪ      横目地
ＣＪ      十字状交差部
ＬＶＪ    縦目地下端部
ＧＫ      ガスケット材
ＣＢ      幕板
ＢＢ      下地板
ＣＨ      チャンネル材
ＳＣ      支柱
Ｃ        コーキング材
１０      本発明の縦目地下端部シール材
１１      遮蔽部
１２      底部
１２ａ    後方端縁
１２ｂ    突出底部
１３      固定部
１４      溝
１４ａ    ビス
１５      壁部
１６      折り返し部
１７      スペーサ部
１８      基底部
１８ａ    後方端縁
１８ｂ    前方端縁
１９      前方側壁部
２０      固定アーム部
２１      板ばね部
ＢＣ      バッカー部材
３１      住宅用外壁パネル底面
３２      住宅用外壁パネル裏面
Ｗ        水
【図１】
0004128729.tif 000002
【図２】
0004128729.tif 000003
【図３】
0004128729.tif 000004
【図４】
0004128729.tif 000005
【図５】
0004128729.tif 000006
【図６】
0004128729.tif 000007
【図７】
0004128729.tif 000008